(57)【要約】【課題】咀嚼し難い被破砕食品であっても咀嚼用上歯の単純な押し下げ操作で格別の労力を要せずに容易、かつ、迅速に食べ易い状態に処理することができる咀嚼器を得る。【解決手段】食品入れ凹部とその底部に固定の咀嚼用下歯を有する下部部材、および咀嚼用下歯と対向して昇降自在に設けられた咀嚼用上歯と、この咀嚼用上歯を回転駆動する駆動装置とを有する上部部材を備え、上部部材の咀嚼用上歯の押し下げ操作により回転しながら下降し食品入れ凹部内の被破砕食品を咀嚼するものである。【選択図】図１
2009189813.tif 000002
【特許請求の範囲】
【請求項１】
被破砕食品入れ凹部と底部に回転しないように固定した咀嚼用下歯を有する下部部材、および前記咀嚼用下歯と対向して昇降自在に設けられた咀嚼用上歯とこの咀嚼用上歯を回転駆動する駆動装置とを有する上部部材を備え、前記上部部材の咀嚼用上歯は、押し下げ操作により回転しながら下降し前記食品入れ凹部内の被破砕食品を咀嚼することを特徴とする咀嚼器。
【請求項２】
被破砕食品入れ凹部１と底部に固定の咀嚼用下歯２を有する食品容器３、この食品容器を回転しないように収納する収納室４と、この収納室に食品容器３を出し入れ自在とする開口部５とを有する下部部材６、および前記咀嚼用下歯２と対向して昇降自在に設けられた咀嚼用上歯７とこの咀嚼用上歯７を回転駆動する駆動装置８とを有する上部部材９を備え、前記上部部材９の咀嚼用上歯７は、押し下げ操作により回転しながら下降し前記食品入れ凹部１内の被破砕食品を咀嚼することを特徴とする咀嚼器。
【発明の詳細な説明】
【技術分野】
【０００１】  この発明は、咀嚼器の改良に関するものである。
【背景技術】
【０００２】  公開されている咀嚼器には、次のようなものがある。
特許文献１（特開２００１−１２０４４３号公報）は、第１のロータの円筒状外周面に断面が鋸歯状をなす複数条の第１の歯を２０度ないし４０度の捩れ角で刻設するとともにこの第１の歯とあや目状に交叉する複数条の第３の歯を刻設し、第２のロータの円筒状外周面に断面が鋸歯状をなす複数条の第２の歯を前記第１の歯と同じ捩れ角で反対方向に捩れるように刻設し、前記第１のロータ及び第２のロータを互いに平行して前記第１の歯と第２の歯が噛み合った状態でそれぞれ回転自在にフレームに軸支し、かつ、前記第１の歯及び第２の歯の鋸歯が回転方向に凹になるように前記第１のロータ又は及び第２のロータを回転駆動する手段を設けた食物の咀嚼補助器である。
特許文献２（特開平１０−１６５２８１号公報）は、テコを応用し食品を噛み砕きスリ潰して、咀嚼を補助する器具に関し容器に必要量の食品を入れ、スプーンの先端を受け場所に当て支点とし、柄を力点として上下左右に動かし、テコを応用して容器とスプーンの裏底の間で、食品を手軽に噛み砕きスリ潰すことができるものである。
特許文献３（特開平１０−２０１６４７号公報）は、卓上型でハンドル２ａを下に押して５の食物皿に入れた食物を潰す。コイルバネ６ｂで、構造物７とハンドル２ａとの間にセットしてあり、Ａでは５にある食片を２ａを押し下げることで食片を切り、除荷すると１が上がって、５の食片を取り出すことができる。
【先行技術文献】
【特許文献】
【０００３】
【特許文献１】特開２００１−１２０４４３号公報
【特許文献２】特開平１０−１６５２８１号公報
【特許文献３】特開平１０−２０１６４７号公報
【発明の概要】
【発明が解決しようとする課題】
【０００４】  上述のように各種の咀嚼器が、種々公開されているが何れのものも構造的に問題があり、この発明は、この問題点を解決したものである。
【課題を解決するための手段】
【０００５】  この発明にかかる咀嚼器は、被破砕食品入れ凹部と底部に回転しないように固定した咀嚼用下歯を有する下部部材、および前記咀嚼用下歯と対向して昇降自在に設けられた咀嚼用上歯とこの咀嚼用上歯を回転駆動する駆動装置とを有する上部部材を備え、前記上部部材の咀嚼用上歯は、押し下げ操作により回転しながら下降し前記食品入れ凹部内の被破砕食品を咀嚼するものである。
【発明の効果】
【０００６】  この発明の咀嚼器は、基本的には固い食物繊維を切り潰して柔らかく、口腔内で咀嚼したのと同様の状態とすることが目的であり、この発明の咀嚼器によれば、咀嚼し難い被破砕食品でも咀嚼用上歯の単純な押し下げ操作で格別の労力を要せずに容易、かつ、迅速に食べ易い状態に処理することができる効果がある。また、部品点数が少なく、構造が簡単で、かつ、分解や組み立てが容易で、掃除や洗浄が容易で、しかも軽量、小型で、携帯し易く、かつ、安価に製造しうるものである。
【図面の簡単な説明】
【０００７】
【図１】  この発明の実施形態１における咀嚼器全体の外観を示す斜視図である。
【図２】  図１のＩＩ−ＩＩ線における断面図である。
【図３】  この発明の実施形態１における咀嚼器の下半部である本体部を示す斜視図である。
【図４】  この発明の実施形態１における咀嚼器の食品容器単体を示し、（ａ）は平面図、（ｂ）は縦断面図である。
【図５】  図２のＶ−Ｖ線における咀嚼器の上部部材の断面図である。
【図６】  図２のＶＩ−ＶＩ線における咀嚼器の下部部材の断面図である
【図７】  この発明の実施形態１における咀嚼器の上半部の咀嚼用上歯を示し、図２の矢印Ａ方向から見た下面図である
【図８】  図２のＶＩＩＩ−ＶＩＩＩ線における咀嚼器の断面図である。
【発明を実施するための形態】
【０００８】  以下、図面に基づいて、この発明の実施例を説明する。
なお、図中の同一符号は、重複説明を避けるため同一又は相当部分を示している。
【０００９】実施例１、
この実施例１の咀嚼器は、上部部材９と下部部材６の２部材を基本構成とする卓上型のものである。
上部部材９は、カバー部を構成し、下部部材６は、本体部を構成する。
下部部材の本体部６には、咀嚼すべき被破砕食品を入れた食品容器３を出し入れ自在とする開口部５と、この食品容器３が回転しないよう固定して収納する収納室４とを備えている。
食品容器３は、食品入れ凹部１と、その底部に固定の咀嚼用鋸歯状下歯２と、食品容器３の出し入れ用取っ手１１を備えている。なお、この実施例１では、下部部材６と食品容器３は別体に構成したが、両者は一体に構成することも可能であり、この場合には開口部５、取っ手１１などは不要となる。
【００１０】上部部材のカバー部９には、咀嚼用下歯２と対向して昇降自在に設けられた咀嚼用鋸歯状上歯７と、この咀嚼用上歯７を回転駆動する例えばモーターなどの駆動装置８とを備えている。また咀嚼用上歯７は、駆動軸８１により駆動装置８に連結され、この駆動軸８１には咀嚼用上歯７を常時引き上げる方向に付勢するばね１０が巻装されている。なお、６１、９１は、駆動軸８１の軸受け部を構成する部材、１３は駆動装置の電源コード、１３ａは電源コード挿入口である。
また、上部部材のカバー部９は、本体部６の外周に進退自在に嵌装され、このカバー部９を食品の咀嚼時に、手で押し下げ操作すると、咀嚼用上歯７がばね１０に抗して回転しながら下降するので咀嚼用上歯７と咀嚼用下歯２の共働により前記食品入れ凹部１内の被破砕食品の咀嚼が行われる。
【００１１】  咀嚼用上歯７は、カバー部９の下縁部が本体部６外周に設けたストッパー１２に係止されることにより咀嚼用下歯２と接触突合しないよう、又食品の咀嚼度をコントロールするため所定の間隙を保つようになされている。また、咀嚼用上歯７は、食品の咀嚼完了後、ばね１０により上方に復帰する。また、咀嚼用上歯７の角軸７ａは駆動軸８１の角穴に着脱自在に嵌め込まれており、咀嚼用上歯７を洗浄するとき取り外し可能としている。
【００１２】  また、食品容器３とこの食品容器を収納する収納室４とは、食品容器３が回動しないようにするためその形状をそれぞれ多角形にしている。この実施例１では図に示すように四角形状にしてある。
また、下部部材の収納室４、食品容器３は中身の食品が見え易いよう透明材で形成されるのが望ましい。
【００１３】  上記の構成において、食品入れ凹部１内の被破砕食品の咀嚼は次のようにして行われる。
まず、駆動装置８で咀嚼用上歯７を回転させる。次に上部部材のカバー部９を手で押し下げ操作し咀嚼用上歯７を咀嚼用下歯２へ降下接近させ、例えば固い食品の繊維を切断して押し漬し（食物を挟んで切り刻む仕組み）食べ易い食片状態にする。このとき、上部部材のカバー部下端縁部がストッパー１２と係合し、咀嚼用上歯７は咀嚼用下歯２とある間隔をおいて止まる。
押し漬された食片は、取っ手１１を持って食品容器３を引き出すことにより下部部材の収納室４から容易に取り出すことができる。
【００１４】この実施例１の咀嚼器よれば、上部部材９と下部部材６を別々に簡単に、たとえば一体成型により製作でき、製造が簡単であり、しかも使用上取り扱いが利便である。
【符号の説明】
【００１５】    １  食品入れ凹部
２  固定の咀嚼用下歯
３  食品容器
４  収納室
５  開口部
６  下部部材（本体部）
７  咀嚼用上歯
７ａ  咀嚼用上歯７の角軸
８  駆動装置
８１  駆動軸
９  上部部材（カバ一部）
９１、９２  軸受け部の構成部材
１０  ばね
１１  取っ手
１２  ストッパー
１３  電源コード。
【図１】
2009189813.tif 000003
【図２】
2009189813.tif 000004
【図３】
2009189813.tif 000005
【図４】
2009189813.tif 000006
【図５】
2009189813.tif 000007
【図６】
2009189813.tif 000008
【図７】
2009189813.tif 000009
【図８】
2009189813.tif 000010